【手続補正書】
【提出日】平成16年5月26日(2004.5.26)
【手続補正１】
【補正対象書類名】明細書
【補正対象項目名】特許請求の範囲
【補正方法】変更
【補正の内容】
【特許請求の範囲】
【請求項１】  基地局に対しランダムアクセス・チャネルでランダムアクセス・フレーム構造を送信するための移動端末であって、前記ランダムアクセス・フレーム構造が
プレアンブルと、
データ部と、
前記プレアンブルと前記データ部との間のガード部とを有する、
移動端末。
【請求項２】  移動端末からランダムアクセス・チャネルでランダムアクセス・フレーム構造を受信する基地局であって、前記ランダムアクセス・フレーム構造が
プレアンブルと、
データ部と、
前記プレアンブルと前記データ部との間のガード部とを有する、
基地局。
【請求項３】  移動端末から移動通信システムへランダムアクセス・チャネルでランダムアクセス・フレーム構造を送信する方法であって、前記ランダムアクセス・フレーム構造が、
少なくとも１つの署名を含むプレアンブルと、
制御部分とデータ部分とを含むデータ部であって、前記少なくとも１つの署名が前記制御部分および前記データ部分を拡散するための第１の複数個の符号を示す、データ部と、
を含み、
前記第１の複数個の符号が、前記データ部分を拡散するための第２の複数個の符号を含み、該第２の複数個の符号の各々が複数個の拡散係数と関連している、
方法。
【請求項４】  前記第１の複数個の符号および前記第２の複数個の符号は符号ツリーのそれぞれのサブツリーと関連している、請求項３記載の方法。
【請求項５】  前記第２の複数個の符号の各々が符号ツリーのサブツリーの同じ分岐と関連している、請求項３記載の方法。
【請求項６】  移動端末から移動通信システムへランダムアクセス・チャネルでランダムアクセス・フレーム構造を送信する方法であって、
前記ランダムアクセス・フレーム構造が、
プレアンブルと、
データ部と、
前記プレアンブルと前記データ部との間のガード部と、
を含む、
方法。
【請求項７】  前記プレアンブルが所定の署名パターンによって変調される、請求項６記載の方法。
【請求項８】  複数個の直交符号からランダムに選択された署名パターンによって前記プレアンブルが変調される、請求項７記載の方法。
【請求項９】  前記移動通信システムがＣＤＭＡシステムを含む、請求項８記載の方法。
【請求項１０】  前記データ部がユーザー・データと少なくとも１つのパイロット・シンボルとを含む、請求項６記載の方法。
【請求項１１】  前記データ部がユーザー・データを含むがパイロット・シンボルを含まない、請求項６記載の方法。
【請求項１２】  前記ユーザー・データがＩ分岐またはＱ分岐上で送信される、請求項１１記載の方法。
【請求項１３】  署名検出およびＲＡＫＥ受信器割当てが前記ガード部と関連する時間間隔中に起こる、請求項６記載の方法。
【請求項１４】  前記少なくとも１つのパイロット・シンボルがＩ分岐またはＱ分岐上で送信される、請求項１０記載の方法。
【請求項１５】  前記データ部がレートインディケータを含む、請求項６記載の方法。
【請求項１６】  前記レートインディケータが、所定の送信データレートおよび予め選択された複数個の署名パターンの少なくとも１つに関連している、請求項１５記載の方法。
【請求項１７】  前記レートインディケータが前記ランダムアクセス・チャネルの制御部に含まれる、請求項１５記載の方法。
【請求項１８】  前記レートインディケータが前記制御部の初めに含まれる、請求項１７記載の方法。
【請求項１９】  前記レートインディケータが前記制御部上に拡散されている、請求項１７記載の方法。
【請求項２０】  前記レートインディケータが可変長データ部と関連している、請求項１５記載の方法。
【請求項２１】  前記ランダムアクセス・チャネルの送信レートが所定の拡散係数と関連している、請求項６記載の方法。
【請求項２２】  所定の移動局と関連している所定の符号で前記データ部が拡散される、請求項６記載の方法。
【請求項２３】  複数個の移動局と関連している所定の符号で前記データ部が拡散される、請求項６記載の方法。
【請求項２４】  前記ランダムアクセス・チャネルの制御部が第１の拡散符号で拡散され、前記データ部がは第２の拡散符号で拡散され、前記第１の拡散符号が前記第２の拡散符号と直交する、請求項２３記載の方法。
【請求項２５】  前記第１および第２の拡散符号がそれぞれ符号ツリーのサブツリーと関連している、請求項２４記載の方法。
【請求項２６】  前記ランダムアクセス・チャネルのデータ部が前記移動通信システムにおける専用物理チャネルと構造が事実上同じである、請求項６記載の方法。
【請求項２７】  ＣＤＭＡシステムにおけるランダムアクセス要求を検出する際に使用するシステムであって、
ランダムアクセス検出装置（１０２）と、
少なくとも１つの検索装置（１０４）であって、前記システムの入力が前記ランダムアクセス検出装置（１０２）と前記少なくとも１つの検索装置（１０４）に結合されている、少なくとも１つの検索装置（１０４）と、
前記ランダムアクセス検出装置及び前記少なくとも１つの検索装置の出力が結合されている制御装置（１０６）と、
前記制御装置の出力と前記システムの前記入力とが結合されている、ＲＡＫＥ受信器装置（１０８）と、
を含み、
前記制御装置の前記出力が、検出された署名パターンの次数，推定経路遅延および推定チャネル値からなる制御信号を含む、
システム。
【請求項２８】  前記ＲＡＫＥ受信器装置が複数個のＲＡＫＥ部品（１０８ａ〜１０８ｎ）を含む、請求項２７記載のシステム。
【請求項２９】  ＣＤＭＡシステムにおけるランダムアクセス要求を検出する際に使用する方法であって、
ランダムアクセス・チャネル上のランダムアクセス要求を検出するステップと、
前記ランダムアクセス・チャネルと関連するトラヒック・チャネル上の伝搬遅延を検索するステップと、
前記検出ステップおよび前記検索ステップの結果を制御装置に結合するステップと、
該結合ステップに応答して、前記制御装置が少なくとも１つのＲＡＫＥ受信器部品を割り当てて前記ランダムアクセス要求を復調するステップと、
を含み、
前記割当てステップが、検出された署名パターンの次数，推定経路遅延および推定チャネル値からなる制御信号を前記少なくとも１つのＲＡＫＥ受信器部品に結合するステップを含む、
方法。
【請求項３０】  移動端末から移動通信システムにランダムアクセス・チャネル上で送信されるランダムアクセス・フレーム構造を送信する方法であって、前記ランダムアクセス・フレーム構造が、
プレアンブルと、
データ部と、
前記プレアンブルと前記データ部との間のガード部であって、前記移動端末と前記移動通信システムとの間の送信の中断を可能にするガード部と、
を含む、方法。
【請求項３１】  前記ガード部が、前記移動通信システムのフレーム・スロット方式と整合された前記ランダムアクセス・フレーム構造のタイミングをさらに可能にする、請求項３０記載の方法。
【請求項３２】  前記プレアンブルがＩ／Ｑ多重化されている、請求項３０記載の方法。
【請求項３３】  前記データ部がユーザー・データと少なくとも１つのパイロット・シンボルとを含む、請求項３０記載の方法。
【請求項３４】  前記データ部が、所定の送信レートおよび予め選択された複数の署名パターンの少なくとも１つと関連するレートインディケータを含む、請求項３０記載の方法。
【請求項３５】  前記ランダムアクセス・チャネルの制御部が第１の拡散符号で拡散され、前記データ部が第２の拡散符号で拡散され、前記第１の拡散符号が前記第２の拡散符号と直交する、請求項３０記載の方法。
【請求項３６】  移動端末から移動通信システムにランダムアクセス・チャネル上でランダムアクセス・フレーム構造を送信する方法であって、前記ランダムアクセス・フレーム構造が、
予め選択された署名パターンによって変調されたＩ／Ｑ多重化プレアンブルと、
データ部と、
前記Ｉ／Ｑ多重化プレアンブルと前記データ部との間のガード部であって、該ガード部が前記データ部の到着前に前記移動通信システムによる前記Ｉ／Ｑ多重化プレアンブルの検出を可能にし、したがって、バッファリングを少なくするとともにランダムアクセス遅延を最小にする前記ガード部と、
を含む、方法。
【請求項３７】  前記データ部が前記移動通信システムにおける専用物理アップリンク・チャネルの一部分と構造が事実上同じであり、前記ランダムアクセス・チャネルおよび前記専用物理アップリンク・チャネルの両方のフレーム構造が互換性がある、請求項３６記載の方法。
【請求項３８】  移動通信システムであって、
ランダムアクセス・チャネル上でランダムアクセス・フレーム構造を送信する移動端末と、
前記ランダムアクセス・フレーム構造を受信する基地局と
を含み、
前記ランダムアクセス・フレーム構造が、
プレアンブルと、
データ部と、
前記プレアンブルと前記データ部との間のガード部であって、前記移動端末と前記基地局との間の送信の中断を可能にするガード部と、
を含む、
移動通信システム。
【請求項３９】  前記ガード部が前記データ部の到着前に前記基地局による前記プレアンブルの検出を可能にし、したがって、バッファリングの必要性を低下させるとともにランダムアクセス遅延を最小にする、請求項３８記載の移動通信システム。
【請求項４０】  前記Ｉ／Ｑ多重化されたプレアンブルが、前記移動通信システム内でのランダムアクセス方式およびアップリンク・チャネル方式とのフレーム構造互換性を可能にする、請求項３８記載の移動通信システム。
【請求項４１】  前記データ部が、所定の送信レートおよび予め選択された複数の署名パターンの少なくとも１つと関係するレートインディケータを含む、請求項３８記載の移動通信システム。
【手続補正２】
【補正対象書類名】明細書
【補正対象項目名】００３５
【補正方法】変更
【補正の内容】
【００３５】
また、本発明の好ましい実施の形態によれば、図４に示された新規なアップリンク共通物理チャネルのデータ送信部は、ランダムアクセス・プレアンブルの要件から独立に設計可能である。例えば、統一されたハードウェア設計を達成するために、共通物理チャネルおよび専用物理チャネル（すなわち、データ・トラヒックに典型的に使用されるチャネル）の両方で同じデータおよび制御（例えば、パイロットおよびレート情報）を使用することが好ましい。このように、本発明の新規なフレーム構造によれば、パイロット・シンボルは専用物理チャネル・アップリンク拡散方式に従って拡散可能であり、したがって、何らの署名変調も必要としない。したがって、（例えば、上述した第３の特許出願と比較して）、本発明は、パイロット・フィールドおよび追加共通データ（例えば、レートインディケータまたはＲＩフィールド）の長さを選択する際に相当な自由度を与える。さらに、図４に関しては、送信されているパイロット・シンボルは、Ｉ／Ｑ符号多重化され得るか、データと共に時間多重化若しくは符号多重化され得る。